(57)【要約】【課題】  圧力面から巻き込まれる流れにより発生する渦が不安定とならない送風機を提供する。【解決手段】  羽根４の外周端部４ｃの圧力面４ａ側に略円弧状の面取り６を施し、前記羽根４の外周部の負圧面４ｂ側に、その断面がその中央よりも外周側に最大高さを有する略山型のリブ７を設け、前記羽根外周端部の圧力面側の略円弧状の面取り６と前記外周部負圧面側の略円弧状のリブ７とを滑らかにつないだ構成としている。これにより、リブ７における断面形状の最大高さを有する箇所がその中央よりも外周側になるように形成されているので、羽根４の圧力面４ａから負圧面４ｂ側に巻き込まれる流れ５により発生する渦８が、リブ７の内周側に寄った位置で安定して発生する。【選択図】    図２
2005248769.tif 000002
【特許請求の範囲】
【請求項１】
モータと、前記モータに取り付けられたハブと、前記ハブの周囲に設けられた複数の羽根とを備えた送風機であって、前記羽根の外周端部の圧力面側に面取りを施し、前記羽根の外周部の負圧面側に、その断面がその中央よりも外周側に最大高さを有する略山型のリブを設け、前記面取りと前記リブとを滑らかにつないだ送風機。
【請求項２】
リブの断面形状が略円弧状に山型である請求項１記載の送風機。
【請求項３】
リブにおける断面長手方向の長さが、羽根の前縁から後縁にかけて増加する形状に形成されている請求項２記載の送風機。
【請求項４】
リブにおける断面長手方向の長さが、羽根の前縁から翼端渦が剥離する付近にかけて増加し、翼端渦が剥離する付近から後縁にかけて減少する形状に形成されている請求項２記載の送風機。
【請求項５】
リブの最大高さが、羽根の前縁から後縁にかけて増加する形状に形成されている請求項２記載の送風機。
【請求項６】
リブの最大高さが、羽根の前縁から翼端渦が剥離する付近にかけて増加し、翼端渦が剥離する付近から後縁にかけて減少する形状に形成されている請求項２記載の送風機。
【請求項７】
リブの断面形状が、その略中央より外周側が凸向き略円弧形状でその略中央より内周側が凹向き略円弧形状となりその略中央部で前記凸向き略円弧形状と凹向き略円弧形状がなめらかにつながる山型である請求項１記載の送風機。
【請求項８】
リブの羽根外周部負圧面側におけるその略中央より内周側が、前記羽根の前縁から後縁にかけて断面長手方向の長さが増加する凹向き略円弧形状に形成されている請求項７記載の送風機。
【請求項９】
リブの羽根外周部負圧面側におけるその略中央より内周側が、前記羽根の前縁から翼端渦が剥離する付近にかけて断面長手方向の長さが増加し、翼端渦が剥離する付近から後縁にかけて断面長手方向の長さが減少する形状に形成されている請求項７記載の送風機。
【請求項１０】
リブの羽根外周部負圧面側におけるその略中央より外周側が、前記羽根の前縁から後縁にかけて断面短手方向の長さが増加する凸向き略円弧形状に形成され、リブの羽根外周部負圧面側におけるその略中央より内周側が、前記羽根の前縁から後縁にかけて断面短手方向の長さが増加する凹向き略円弧形状に形成されている請求項７記載の送風機。
【請求項１１】
リブの羽根外周部負圧面側におけるその略中央より外周側が、前記羽根の前縁から翼端渦が剥離する付近にかけて断面短手方向の長さが増加し翼端渦が剥離する付近から後縁にかけて最大高さが減少する凸向き略円弧形状に形成され、リブの羽根外周部負圧面側におけるその略中央より内周側が、前記羽根の前縁から翼端渦が剥離する付近にかけて断面短手方向の長さが増加し翼端渦が剥離する付近から後縁にかけて最大高さが減少する凹向き略円弧形状に形成されている請求項７記載の送風機。
【発明の詳細な説明】
【技術分野】
【０００１】
本発明は送風機に関する。
【背景技術】
【０００２】
以下に、特許文献１に記載された従来の送風機について説明する。
図１２に示すように、送風機１は、モータ２と、モータ２に取り付けられたハブ３と、ハブ３の周囲に設けられた複数の羽根４とで構成されている。なお、ハブ３と羽根４とは一体的に形成されて羽根車を構成しており、羽根４は圧力面４ａと負圧面４ｂとを有している。羽根４の外周端部４ｃの圧力面４ａ側には略円弧状の面取り６を施し、羽根４の外周部の負圧面４ｂ側には略円弧状のリブ７を設けている。そして、羽根４の外周部において、圧力面４ａ側の略円弧状の面取り６と、負圧面側４ｂの略円弧状のリブ７とを羽根４の外周端で滑らかにつないでいる。ここで、リブ７は、断面がそのリブ７の中央（羽根４の内周部から外周部に延びる径方向に対して中央）に最大高さを有する略円弧状に形成されている。
【０００３】
この構成において、図１２に示すように、羽根４の圧力面４ａ側から負圧面４ｂ側へ巻き込まれる流れ５により渦８が発生し、この渦８は羽根外周に沿って成長する。しかし、従来の構成によれば、羽根４の外周部においてリブ７の略円弧状の最大高さが略円弧の中央になるように配置されているので、この場合には、前記渦８（翼端渦と称す）がリブ７の内周側に寄った位置で発生したり（図１２において、この渦を８Ａで示す）、外周側に寄った位置で発生したり（図１２において、この渦を８Ｂで示す）して不安定となり、空気流の乱れ９を生じ、風量性能の低下や騒音発生の原因となることがあった。
【特許文献１】特開平７−１１９６９４号公報
【発明の開示】
【発明が解決しようとする課題】
【０００４】
上述したように、従来構成では、羽根４の外周部においてリブ７の略円弧状の最大高さが略円弧の中央になるように配置されていたので、翼端渦８の位置が不安定となり、空気流の乱れ９を生じて、風量性能の低下や騒音発生を招くという問題点を有していた。
【０００５】
本発明は上記従来の問題点を解決するもので、圧力面から巻き込まれ流れにより発生する渦が不安定とならない送風機を提供することを目的とする。
【課題を解決するための手段】
【０００６】
この目的を達成するために本発明は、モータと、前記モータに取り付けられたハブと、前記ハブの周囲に設けられた複数の羽根とを備えた送風機であって、前記羽根の外周端部の圧力面側に面取りを施し、前記羽根の外周部の負圧面側に、その断面がその中央よりも外周側に最大高さを有する略山型のリブを設け、前記面取りと前記リブとを滑らかにつないだことを特徴とする。
【０００７】
ここで、リブの断面形状としては、略円弧状に山型としたり、リブの断面形状が、その略中央より外周側が凸向き略円弧形状でその略中央より内周側が凹向き略円弧形状となりその略中央部で前記凸向き略円弧形状と凹向き略円弧形状がなめらかにつながる山型としたりする。
【０００８】
この構成によれば、リブにおける断面形状の最大高さを有する箇所がその中央よりも外周側になるように形成されているので、羽根の圧力面から負圧面側に巻き込まれる流れにより発生する渦が、リブの外周側に寄った位置で安定して発生する。
【発明の効果】
【０００９】
以上のように本発明によれば、羽根の外周端部の圧力面側に面取りを施し、前記羽根の外周部の負圧面側に、その断面がその中央よりも外周側に最大高さを有する略山型のリブを設け、前記面取りと前記リブとを滑らかにつないだ構成としたことにより、羽根の圧力面から負圧面側に巻き込まれる流れにより発生する渦が、リブの外周側に寄った位置で安定して発生し、これにより、送風機の羽根外周側での乱れが殆どなくなり、風量性能が向上するとともに、これによる騒音低減の効果を得られる。
【００１０】
また、断面形状が略円弧状に山型であるリブの断面長手方向の形状として、羽根の前縁から後縁にかけて増加する形状に形成したり、羽根の前縁から翼端渦が剥離する付近にかけて増加し、翼端渦が剥離する付近から後縁にかけて減少する形状に形成したりすることにより、翼端渦の成長状態にリブの断面長手方向の形状を合わせることができて、翼端渦がリブに沿って良好かつ安定して発生し、これにより、風量性能がさらに向上するとともに、これによる騒音低減の効果を得ることができる。
【００１１】
また、リブの高さ方向の形状として、羽根の前縁から後縁にかけて増加する形状に形成したり、羽根の前縁から翼端渦が剥離する付近にかけて増加し、翼端渦が剥離する付近から後縁にかけて減少する形状に形成したりすることにより、翼端渦の成長状態にリブの高さ方向の形状を合わせることができて、翼端渦がリブに沿って良好かつ安定して発生し、これにより、風量性能がさらに向上するとともに、これによる騒音低減の効果を得ることができる。
【００１２】
また、リブの断面形状が、その略中央より外周側が凸向き略円弧形状でその略中央より内周側が凹向き略円弧形状となりその略中央部で前記凸向き略円弧形状と凹向き略円弧形状がなめらかにつながる山型としてもよく、この場合のリブの断面長手方向の形状として、リブの羽根外周部負圧面側におけるその略中央より内周側を、前記羽根の前縁から後縁にかけて断面長手方向の長さが増加する凹向き略円弧形状に形成したり、前記羽根の前縁から翼端渦が剥離する付近にかけて断面長手方向の長さが増加し、翼端渦が剥離する付近から後縁にかけて断面長手方向の長さが減少する形状に形成したりすることにより、翼端渦の成長状態にリブの略中央より内周側の形状を合わせることができて、翼端渦がリブに沿って良好かつ安定して発生し、これにより、風量性能がさらに向上するとともに、これによる騒音低減の効果を得ることができる。
【００１３】
また、リブの高さ方向に関する形状として、リブの羽根外周部負圧面側におけるその略中央より外周側を、前記羽根の前縁から後縁にかけて断面短手方向の長さが増加する凸向き略円弧形状に形成し、リブの羽根外周部負圧面側におけるその略中央より内周側を、前記羽根の前縁から後縁にかけて断面短手方向の長さが増加する凹向き略円弧形状に形成したり、さらには、リブの羽根外周部負圧面側におけるその略中央より外周側を、前記羽根の前縁から翼端渦が剥離する付近にかけて断面短手方向の長さが増加し翼端渦が剥離する付近から後縁にかけて最大高さが減少する凸向き略円弧形状に形成し、リブの羽根外周部負圧面側におけるその略中央より内周側を、前記羽根の前縁から翼端渦が剥離する付近にかけて断面短手方向の長さが増加し翼端渦が剥離する付近から後縁にかけて最大高さが減少する凹向き略円弧形状に形成したりすることにより、翼端渦の成長状態にリブの高さ方向の形状を合わせることができて、翼端渦がリブに沿って良好かつ安定して発生し、これにより、風量性能がさらに向上するとともに、これによる騒音低減の効果を得ることができる。
【発明を実施するための最良の形態】
【００１４】
以下、本発明の実施の形態について、図面を参照しながら説明する。
（実施の形態１）
図１および図２は本発明の第１の実施の形態に係る送風機の正面図および部分切欠正面図で、図２においては片側の羽根部分だけを示すとともに、羽根の径方向の断面形状も示している。
【００１５】
図１および図２（ａ），（ｂ）に示すように、送風機１は、モータ２と、モータ２に取り付けられたハブ３と、ハブ３の周囲に設けられた複数の羽根４とで構成されている。なお、ハブ３と羽根４とは一体的に形成されて羽根車を構成している。
【００１６】
羽根４は圧力面４ａと負圧面４ｂとを有している。羽根４の外周端部４ｃの圧力面４ａ側に略円弧状の面取り６を施し、羽根４の外周部の負圧面４ｂ側に略円弧状のリブ７を設けている。そして、羽根４の外周部において、圧力面側４ａの略円弧状の面取り６と、負圧面側４ｂの略円弧状のリブ７とを羽根４の外周端で滑らかにつないでいる。
【００１７】
特に、リブ７は、図２（ｂ）に示すように、断面がその中央（羽根４の内周部から外周部に延びる方向に対する中央）よりも外周側に最大高さを有する山型、より具体的には略円弧状に形成されている。なお、図１における太線矢印は羽根車の回転方向、図２（ａ）における点線部分はリブ７の断面形状、および渦（翼端渦）８を示す。
【００１８】
以上のように構成された送風機１について、以下その作用を説明する。
図２（ａ），（ｂ）に示すように、本実施の形態に係る送風機１によれば、リブ７における断面形状の最大高さを有する箇所がその中央よりも外周側になるように形成されているので、羽根４の圧力面４ａから負圧面４ｂ側に巻き込まれる流れ５により発生する渦８が、リブ７の外周側に寄った位置で安定して発生し、これにより、送風機１の羽根外周側での乱れが殆どなくなり、風量性能が向上するとともに、これによる騒音低減の効果を得られる。
【００１９】
（実施の形態２）
次に、本発明の第２の実施の形態について説明する。
図３に示すように、この実施の形態では、前述した第１の実施の形態の構成に、以下の構成を付加している。すなわち、リブ７の断面をその中央よりも外周側に最大高さを有する略円弧状に形成している構成に加えて、リブ７における断面長手方向の長さ（羽根２の内周部から外周部に延びる、羽根車の半径方向に略沿う方向の長さ）を、羽根４の前縁４ｄから後縁４ｅにかけて増加する形状、つまり、後縁４ｅに近いリブ７ほど、断面長手方向の長さが長くなる形状に形成している。そして、羽根４の外周部において、圧力面側４ａの略円弧状の面取り６と、負圧面側４ｂの略円弧状のリブ７とを羽根４の外周端で滑らかにつないでいる。
【００２０】
この構成によれば、上記第１の実施の形態の作用効果に加えて、羽根４の前縁４ｄから後縁４ｅにかけて渦８がリブ７の断面長手方向に成長し渦寸法が大きくなることによる渦８の不安定化を抑制することができる。つまり、羽根４の前縁４ｄから後縁４ｅにかけて渦８が成長する場合に、この成長状態にリブ７の断面長手方向の形状を合わせることができて、渦８がリブ７に沿って良好かつ安定して発生し、渦（翼端渦）８がリブ７にうまく乗り切らないことを最小限に抑えることができる。これにより、風量性能がさらに向上するとともに、これによる騒音低減の効果を得ることができる。
【００２１】
（実施の形態３）
以下に、本発明の第３の実施の形態について説明する。
図４に示すように、本実施の形態では前述した第１の実施の形態の構成（リブ７の断面をその中央よりも外周側に最大高さを有する略円弧状に形成している構成）に加えて、リブ７における断面長手方向の長さ（羽根２の内周部から外周部に延びる、羽根車の半径方向に略沿う方向の長さ）が、羽根４の前縁４ｄから渦（翼端渦）８が剥離する箇所付近Ａにかけて増加し、渦（翼端渦）８が剥離する付近Ａから後縁４ｅにかけて減少する形状に形成している。そして、羽根４の外周部において、圧力面側４ａの略円弧状の面取り６と、負圧面側４ｂの略円弧状のリブ７とを羽根４の外周端で滑らかにつないでいる。
【００２２】
条件によっては、羽根４の前縁４ｄから渦８が剥離する箇所付近Ａにかけて渦８が成長し、渦８が剥離する箇所付近Ａから後縁４ｅにかけて渦８が縮小する場合があるが、上記構成によれば、この渦８の成長具合に応じた形状にリブ７の長さが形成されているので、渦８の不安定化を抑制することができる。つまり、リブ７の長さを、羽根４の前縁４ｄから渦（翼端渦）８が剥離する箇所付近Ａにかけて増加し、渦（翼端渦）８が剥離する箇所付近Ａから後縁４ｅにかけて減少する形状に形成させることにより、渦（翼端渦）８がリブ７から剥離することを最小限に抑えることができる。これにより、風量性能がさらに向上するとともに、これによる騒音低減の効果を得ることができる。
【００２３】
（実施の形態４）
以下に、本発明の第４の実施の形態について説明する。
図５に示すように、本実施の形態では前述した第１の実施の形態の構成（リブ７の断面をその中央よりも外周側に最大高さを有する略円弧状に形成している構成）に加えて、リブ７を、羽根４の前縁４ｄから後縁４ｅにかけて最大高さ（最大厚み）が増加する形状に形成している。そして、羽根４の外周部において、圧力面側４ａの略円弧状の面取り６と、負圧面側４ｂの略円弧状のリブ７とを羽根４の外周端で滑らかにつないでいる。
【００２４】
この構成によれば、上記第１の実施の形態の作用効果に加えて、羽根４の前縁４ｄから後縁４ｅにかけて渦８が高さ方向に成長し渦寸法が大きくなることによる渦８の不安定化を抑制することができる。つまり、羽根４の前縁４ｄから後縁４ｅにかけて渦８が高さ方向に成長する場合に、この成長する形に合った形状にリブ７が形成されているので、渦（翼端渦）８がリブ７にうまく乗り切らないことを最小限に抑えることができる。これにより、風量性能がさらに向上するとともに、これによる騒音低減の効果を得ることができる。
【００２５】
（実施の形態５）
以下に、本発明の第５の実施の形態について説明する。
図６に示すように、本実施の形態では前述した第１の実施の形態の構成（リブ７の断面をその中央よりも外周側に最大高さを有する略円弧状に形成している構成）に加えて、リブ７の最大高さが、羽根４の前縁４ｄから渦（翼端渦）８が剥離する箇所付近Ａにかけて増加し、渦（翼端渦）８が剥離する箇所付近Ａから後縁４ｅにかけて減少する形状に形成している。そして、羽根４の外周部において、圧力面側４ａの略円弧状の面取り６と、負圧面側４ｂの略円弧状のリブ７とを羽根４の外周端で滑らかにつないでいる。
【００２６】
条件によっては、羽根４の前縁４ｄから渦８が剥離する箇所付近Ａにかけて渦８が成長し、渦８が剥離する箇所付近Ａから後縁４ｅにかけて渦８が縮小する場合があるが、上記構成によれば、この渦８の成長具合に応じた形状にリブ７の高さが形成されているので、渦８の不安定化を抑制することができる。つまり、リブ７の高さを、羽根４の前縁４ｄから渦（翼端渦）８が剥離する箇所付近Ａにかけて増加し、渦（翼端渦）８が剥離する箇所付近Ａから後縁４ｅにかけて減少する形状に形成させることにより、渦（翼端渦）８がリブ７から剥離することを最小限に抑えることができる。これにより、風量性能がさらに向上するとともに、これによる騒音低減の効果を得ることができる。
【００２７】
（実施の形態６）
以下に、本発明の第６の実施の形態について説明する。
図７（ａ），（ｂ）に示すように、本実施の形態においても、羽根４は圧力面４ａと負圧面４ｂとを有し、羽根４の外周端部４ｃの圧力面４ａ側に略円弧状の面取り６を施し、羽根４の外周部の負圧面４ｂ側に略円弧状のリブ７を設けている。そして、羽根４の外周部において、圧力面側４ａの略円弧状の面取り６と、負圧面側４ｂの略円弧状のリブ７とを羽根４の外周端で滑らかにつないでいる。
【００２８】
しかしながら、特に本実施の形態においては、リブ７は、断面がその中央（羽根４の内周部から外周部に延びる方向に対する中央）よりも外周側に最大高さを有する山型とされ、羽根４の外周部の負圧面４ｂ側に断面が、その略中央より外周側が凸向き略円弧形状で、その略中央より内周側が凹向き略円弧形状となり、その略中央部で前記凸向き略円弧形状と凹向き略円弧形状がなめらかにつながる形状に形成されている。なお、図７（ｂ）における、７ａは、リブ７における略中央より外周側に形成された凸向き略円弧形状部であり、７ｂは、リブ７における略中央より内周側に形成された凹向き略円弧形状部である。
【００２９】
以上のように構成された送風機１について、以下その作用を説明する。
図７に示すように、本実施の形態に係る送風機１によれば、リブ７における断面形状の最大高さを有する箇所がその中央よりも外周側になるように形成されているので、羽根４の圧力面４ａから負圧面４ｂ側に巻き込まれる流れにより発生する渦８が、リブ７の外周側に寄った位置で安定して発生し、これにより、送風機の羽根外周側での乱れが殆どなくなり、風量性能が向上するとともに、これによる騒音低減の効果を得られる。
【００３０】
また、送風機１が回転すると、羽根４の圧力面４ａ側から負圧面４ｂ側へ巻き込まれる流れに比べると小さい流れではあるが、羽根４の負圧面４ｂにおける内周側から外周側への流れが発生する。上記のように、リブ７における略中央より内周側が凹向き略円弧形状であると、前記第１の実施の形態の送風機１と比較して、羽根４の負圧面側４ａにおける内周側から外周側への流れが、リブ７の凹向き略円弧形状部７ｂに沿い易くなり、この結果、羽根４の圧力面４ａから負圧面４ｂ側に巻き込まれる流れにより発生する渦８が、さらに安定した状態で発生し、これにより、送風機の羽根外周側での乱れが殆どなくなり、風量性能が向上するとともに、これによる騒音低減の効果を得られる。
【００３１】
（実施の形態７）
以下に、本発明の第７の実施の形態について説明する。
図８に示すように、この実施の形態では、前述した第６の実施の形態の構成に、以下の構成を付加している。すなわち、リブ７の形状を、断面がその中央よりも外周側に最大高さを有し、羽根４の外周部負圧面側に断面がその略中央より外周側が凸向き略円弧形状でその略中央より内周側が凹向き略円弧形状となりその略中央部で前記凸向き略円弧形状と凹向き略円弧形状がなめらかにつながるようにする構成に加えて、リブ７におけるその略中央より内周側に形成されている凹向き略円弧形状部７ｂが、羽根４の前縁４ｄから後縁４ｅにかけて断面長手方向の長さが増加するように形成している。
【００３２】
この構成によれば、上記第６の実施の形態の作用効果に加えて、羽根４の前縁４ｄから後縁４ｅにかけて渦８がリブ７の断面長手方向に成長し渦寸法が大きくなることによる渦８の不安定化を抑制することができる。つまり、羽根４の前縁４ｄから後縁４ｅにかけて渦８が成長する場合に、この形に合った形状にリブ７が形成されているので、渦（翼端渦）８がリブ７にうまく乗り切らないことを最小限に抑えることができる。これにより、風量性能がさらに向上するとともに、これによる騒音低減の効果を得ることができる。
【００３３】
（実施の形態８）
以下に、本発明の第８の実施の形態について説明する。
図９に示すように、この実施の形態では、前述した第６の実施の形態の構成に、以下の構成を付加している。すなわち、リブ７の形状を、断面がその中央よりも外周側に最大高さを有し、羽根４の外周部負圧面側に断面がその略中央より外周側が凸向き略円弧形状でその略中央より内周側が凹向き略円弧形状となりその略中央部で前記凸向き略円弧形状と凹向き略円弧形状がなめらかにつながるようにする構成に加えて、リブ７における羽根４の外周部負圧面４ｂ側におけるその略中央より内周側が、羽根４の前縁４ｄから渦（翼端渦）８が剥離する付近にかけて断面長手方向の長さが増加し、渦（翼端渦）８が剥離する付近から後縁４ｅにかけて断面長手方向の長さが減少する形状に形成している。
【００３４】
条件によっては、羽根４の前縁４ｄから渦８が剥離する箇所付近Ａにかけて渦８が成長し、渦８が剥離する箇所付近Ａから後縁４ｅにかけて渦８が縮小する場合があるが、上記構成によれば、この渦８の成長具合に応じた形状にリブ７の略中央より内周側の長さが形成されているので、渦８の不安定化を抑制することができる。つまり、リブ７の略中央より内周側の長さを、羽根４の前縁４ｄから渦（翼端渦）８が剥離する箇所付近Ａにかけて増加し、渦（翼端渦）８が剥離する箇所付近Ａから後縁４ｅにかけて減少する形状に形成させることにより、渦（翼端渦）８がリブ７から剥離することを最小限に抑えることができる。これにより、風量性能がさらに向上するとともに、これによる騒音低減の効果を得ることができる。
【００３５】
（実施の形態９）
以下に、本発明の第９の実施の形態について説明する。
図１０に示すように、この実施の形態では、前述した第６の実施の形態の構成に、以下の構成を付加している。すなわち、リブ７の形状を、断面がその中央よりも外周側に最大高さを有し、その略中央より外周側に形成されている凸向き略円弧形状部７ａが、羽根４の前縁４ｄから後縁４ｅにかけて断面短手方向の長さが増加するように形成し、その略中央より内周側に形成されている凹向き略円弧形状部７ｂが、羽根４の前縁４ｄから後縁４ｅにかけて断面短手方向の長さが増加するように形成している。
【００３６】
この構成によれば、上記第６の実施の形態の作用効果に加えて、羽根４の前縁４ｄから後縁４ｅにかけて渦８が高さ方向に成長し渦寸法が大きくなることによる渦８の不安定化を抑制することができる。つまり、羽根４の前縁４ｄから後縁４ｅにかけて渦８が高さ方向に成長する場合に、この形に合った形状にリブ７の凹向き略円弧形状部７ｂが形成されているので、渦（翼端渦）８がリブ７にうまく乗り切らないことを最小限に抑えることができる。これにより、風量性能がさらに向上するとともに、これによる騒音低減の効果を得ることができる。
【００３７】
（実施の形態１０）
以下に、本発明の第１０の実施の形態について説明する。
図１１に示すように、この実施の形態では、前述した第６の実施の形態の構成に、以下の構成を付加している。すなわち、リブ７の形状を、断面がその中央よりも外周側に最大高さを有し、リブ７の羽根外周部負圧面側におけるその略中央より外周側が、羽根４の前縁４ｄから渦（翼端渦）８が剥離する箇所Ａ付近にかけて断面短手方向の長さが増加し、渦（翼端渦）８が剥離する付近から後縁４ｅにかけて最大高さが減少する凸向き略円弧形状に形成し、リブ７の羽根外周部負圧面側におけるその略中央より内周側が、羽根４の前縁４ｄから渦（翼端渦）８が剥離する付近にかけて断面短手方向の長さが増加し、渦（翼端渦）８が剥離する付近から後縁４ｅにかけて最大高さが減少する凹向き略円弧形状に形成している。
【００３８】
条件によっては、羽根４の前縁４ｄから渦８が剥離する付近Ａにかけて渦８が成長し、渦８が剥離する付近Ａから後縁４ｅにかけて渦８が縮小する場合があるが、上記構成によれば、この渦８の成長具合に応じた形状にリブ７が形成されているので、渦８の不安定化を抑制することができる。つまり、上記形状にリブ７を形成することにより、渦（翼端渦）８がリブ７から剥離することを最小限に抑えることができる。これにより、風量性能がさらに向上するとともに、これによる騒音低減の効果を得ることができる。
【産業上の利用可能性】
【００３９】
本発明の送風機は各種空気調和機などの軸流送風機に対して有用である。
【図面の簡単な説明】
【００４０】
【図１】本発明の第１の実施の形態にかかる送風機の平面図（図２における下方から見た図）
【図２】（ａ）および（ｂ）は同送風機の断面図および要部拡大断面図
【図３】本発明の第２の実施の形態にかかる送風機の断面図
【図４】本発明の第３の実施の形態にかかる送風機の断面図
【図５】本発明の第４の実施の形態にかかる送風機の断面図
【図６】本発明の第５の実施の形態にかかる送風機の断面図
【図７】（ａ）および（ｂ）は本発明の第６の実施の形態にかかる送風機の断面図および要部拡大断面図
【図８】本発明の第７の実施の形態にかかる送風機の断面図
【図９】本発明の第８の実施の形態にかかる送風機の断面図
【図１０】本発明の第９の実施の形態にかかる送風機の断面図
【図１１】本発明の第１０の実施の形態にかかる送風機の断面図
【図１２】従来の送風機の断面図
【符号の説明】
【００４１】
１      送風機
２      モータ
３      ハブ
４      羽根
４ａ    圧力面
４ｂ    負圧面
４ｃ    外周端部
４ｄ    前縁
４ｅ    後縁
６      面取り
７      リブ
【図１】
2005248769.tif 000003
【図２】
2005248769.tif 000004
【図３】
2005248769.tif 000005
【図４】
2005248769.tif 000006
【図５】
2005248769.tif 000007
【図６】
2005248769.tif 000008
【図７】
2005248769.tif 000009
【図８】
2005248769.tif 000010
【図９】
2005248769.tif 000011
【図１０】
2005248769.tif 000012
【図１１】
2005248769.tif 000013
【図１２】
2005248769.tif 000014